(57)【特許請求の範囲】
【請求項１】
液体内のゴミを除去するために用いられるフィルタ装置であって、第１の部材と、第２の部材とを含み、
前記第１の部材は、管状であって、貫通孔を有しており、
前記貫通孔は、前記管状の側壁部分を厚み方向に貫通しており、
前記第２の部材は、前記液体に対する浮力を有し、且、管状であって、管軸方向の一端に開口部を有し、前記第１の部材を構成する側壁部分の外寸法より大きな内寸法を有し、前記側壁部分の外面において、前記第１の部材の管軸方向に沿って移動可能に取り付けられ、取り付けられた状態で前記貫通孔を覆っている、
フィルタ装置。
【請求項２】
請求項１に記載されたフィルタ装置であって、さらに前記第２の部材は、第２の基体部と、浮力体とを含み、
前記第２の基体部は、管状であって、管軸方向の一端に開口部を有し、前記第１の部材を構成する側壁部分の外寸法より大きな内寸法を有し、前記側壁部分の外面において、管軸方向に沿って移動可能に取り付けられ、取り付けられた状態で前記貫通孔を覆っており、
前記浮力体は、前記液体に対する浮力を有し、前記第２の基体部に取り付けられている、
フィルタ装置。
【請求項３】
請求項１に記載されたフィルタ装置であって、
前記第２の部材は、前記液体に対して浮力を有する材料で構成されている、
フィルタ装置。
【請求項４】
請求項１乃至３の何れかに記載されたフィルタ装置であって、さらに隙間を有し、
前記隙間は、前記第１の部材と、前記第２の部材との相対向面間において、前記外寸法と前記内寸法との寸法差に応じて形成され、前記第２の部材の前記開口部を通じて外部に連通している、
フィルタ装置。
【請求項５】
請求項１乃至４の何れかに記載されたフィルタ装置であって、
前記第１の部材は、管軸方向の一端から他端までの間に屈曲部を有している、
フィルタ装置。
【請求項６】
貯留空間と、フィルタ装置と、接続管とを含む施設であって、
前記貯留空間は、深さ方向に伸び、外部から送られてくる液体を貯留し、
前記接続管は、一端が前記貯留空間に接続されており、
前記フィルタ装置は、請求項１乃至５の何れかに記載されたものでなり、管軸方向の一端が前記接続管に接続され、管軸方向の他端が前記貯留空間の深さ方向に沿って立ち上がっている、
施設。
【発明の詳細な説明】
【技術分野】
【０００１】
本発明は、フィルタ装置、及び、これを用いた施設に関する。
【背景技術】
【０００２】
従来、貯留空間に一時貯留した液体を、管路を通じて外部に排出し又は別の貯留空間へ送る施設において、排出側の管路（接続管）の管口には、該液体からゴミを除去するためのフィルタが取り付けられる。例えば、特許文献１記載の管口フィルタは、網目状のメッシュ部を有し、雨水貯留浸透施設の前置ますにおいて、排出側の接続管の管口に取り付けられる。
【０００３】
ところで、この種の管口フィルタには、信頼性確保の観点から、目詰まり対策が求められる。例えば上述した前置ますのように、様々なゴミが大量に流れ込む施設で用いられる管口フィルタには、目詰まりが生じやすい。この管口フィルタの目詰まりを放置すると、雨水等貯留浸透施設内への雨水の流入が阻害されるとともに、該施設内へ流入できなかった雨水が前置ますから溢れ出てしまう不具合が生じる。
【０００４】
しかし、特許文献１記載の管口フィルタでは、上述した目詰まりの問題を充分に解決することができない。具体的にゴミの類型別に説明すると、第１に、前置ます等の桝内において、水面付近には、雨水とともに流入した塵埃や、比重の軽い小さなゴミ等が浮遊し、ゴミの層が形成されている。特許文献１の管口フィルタでは、直接、メッシュ部を通して雨水を流出させるから、ゴミの層が、そのままメッシュ部の表面へ面状に付着し、目詰まりが生じる。
【０００５】
第２に、前置ます等の桝内には、雨水とともに枯れ枝のような小さな尖ったゴミが流入する。特許文献１の管口フィルタでは、直接、メッシュ部を通して雨水を流出させるから、尖ったゴミがメッシュ部の網目に突き刺さり、この突き刺さったゴミを足場にして次々と他のゴミが付着して、目詰まりが生じる。
【０００６】
第３に、前置ます等の桝内には、落ち葉やビニール袋のように表面積の大きなゴミが流入する。特許文献１の管口フィルタでは、直接、メッシュ部を通して雨水を流出させるから、表面積の大きなゴミが、そのままメッシュ部の表面へ面状に付着し、目詰まりを生じさせる。
【０００７】
特許文献１記載の管口フィルタにおいて、上述した第１乃至第３の類型に係る目詰まりの問題を回避するため、メッシュ部の表面積を大きくすることも考えられるが、その場合、メッシュ部の表面積を大きくした分だけ桝全体を大型化せざるを得ず、コスト高となる。
【０００８】
さらに、通常、接続管は、前置ます等の底部から深さ方向に間隔を隔てて取り付けられており、底部から接続管の管口までの空間が泥溜め部を構成している。ここで、前置ます等には大量の土砂が流れ込むから、特許文献１のように、接続管の管口に、直接、管口フィルタが取り付けられている構成では、管口フィルタが堆積した土砂に埋没してしまう不具合が生じる。この不具合を解決するには頻繁に堆積物を除去する必要があり、コスト高を招く。
【先行技術文献】
【特許文献】
【０００９】
【特許文献１】特開２００９−０７４２８８公報
【発明の概要】
【発明が解決しようとする課題】
【００１０】
本発明の課題は、目詰まりを防止することができるフィルタ装置、及び、これを用いた施設を提供することである。
【００１１】
本発明のもう１つの課題は、ゴミを適切に捕捉することができるフィルタ装置、及び、これを用いた施設を提供することである。
【００１２】
本発明の更にもう１つの課題は、維持管理コストを低減することができるフィルタ装置、及び、これを用いた施設を提供することである。
【課題を解決するための手段】
【００１３】
上述した課題を解決するため、本発明は、液体内のゴミを除去するために用いられるフィルタ装置であって、第１の部材と、第２の部材とを含む。第１の部材は、管状であって、貫通孔を有しており、貫通孔は、管状の側壁部分を厚み方向に貫通している。
【００１４】
第２の部材は、上述した液体に対する浮力を有している。また、第２の部材は、管状であって、管軸方向の一端に開口部を有し、第１の部材を構成する側壁部分の外寸法より大きな内寸法を有している。さらに、第２の部材は、第１の部材を構成する側壁部分の外面において、第１の部材の管軸方向に沿って移動可能に取り付けられ、取り付けられた状態で貫通孔を覆っている。
【００１５】
本発明に係るフィルタ装置は、接続管に取り付けられて施設を構成する。本発明に係る施設は、貯留空間と、フィルタ装置と、接続管とを含む。貯留空間は、深さ方向に伸び、外部から送られてくる液体を貯留する。接続管は、一端が貯留空間に接続されている。フィルタ装置は、管軸方向の一端が接続管に接続され、管軸方向の他端が貯留空間の深さ方向に沿って立ち上がっている。
【００１６】
上述のように、本発明に係る施設を構成するフィルタ装置において、第１の部材は、管状であって、貫通孔を有しており、貫通孔は、管状の側壁部分を厚み方向に貫通しているから、貯留空間に貯留された液体を貫通孔から第１の部材の内部に案内し、第１の部材を通じて接続管へ流下させることができる。
【００１７】
フィルタ装置は、管軸方向の一端が接続管に接続され、管軸方向の他端が貯留空間の深さ方向に沿って立ち上がっている。この構造によると、フィルタ装置が、貯留空間の底部に溜まった堆積物に埋没する不具合は生じないから、頻繁に堆積物を除去する必要はなく、維持管理コストを低減することができる。
【００１８】
また、フィルタ装置は、管軸方向の他端が貯留空間の深さ方向に沿って立ち上がっているから、目詰まりの有無を点検し、必要に応じて清掃する作業を容易に行うことができる。従って、維持管理コストが低減される。
【００１９】
フィルタ装置を構成する第２の部材は、管状であって、管軸方向の一端に開口部を有し、第１の部材を構成する側壁部分の外寸法より大きな内寸法を有している。さらに、第２の部材は、第１の部材を構成する側壁部分の外面において、第１の部材の管軸方向に沿って移動可能に取り付けられ、取り付けられた状態で貫通孔を覆っている。この構成によると、第１の部材と、第２の部材との相対向面間には、その寸法差に応じて隙間が形成されている。隙間は、第２の部材の開口部を通じて外部に連通しているから、隙間の間隔を適宜調節することにより、貯留空間の液体内に含まれるゴミを隙間の開口部分で捕らえることができる。
【００２０】
さらに、本発明に係るフィルタ装置の目詰まり防止効果についてゴミの類型別に説明すると、第１に、フィルタ装置の隙間は、第２の部材の開口部を通じて外部に連通しているから、ゴミの層が浮遊する液面付近（上層部）よりも深い位置に開口部を配置することにより、ゴミの層のない中層部以下の液体を吸い込むことができる。従って、貫通孔を上層部に浮遊するゴミの層から保護し、貫通孔に目詰まりが生じる不具合を回避することができる。
【００２１】
しかも、フィルタ装置の隙間は、第２の部材の開口部を通じて外部に連通しているから、仮に、ゴミの層の一部が液体とともに隙間に吸い込まれそうになったとしても、同ゴミは第２の部材の開口部で捕らえられる。従って、貫通孔を上層部に浮遊するゴミの層から保護し、貫通孔に目詰まりが生じる不具合を回避することができる。
【００２２】
第２に、フィルタ装置の隙間は、第２の部材の開口部を通じて外部に連通しているから、枯れ枝のような尖ったゴミも第２の部材の開口部で捕らえられる。従って、尖ったゴミによって目詰まりが生じる問題を回避することができる。
【００２３】
第３に、フィルタ装置の隙間は、第２の部材の開口部を通じて外部に連通しているから、落ち葉やビニール袋のような表面積の大きなゴミも第２の部材の開口部で捕らえられる。従って、貫通孔を表面積の大きなゴミから保護し、貫通孔に目詰まりが生じる不具合を回避することができる。
【００２４】
第２の部材は、液体に対する浮力を有しているから、例えば、貯留空間に流れ込む液体量が急激に増加し、液体の液面位置が高くなった場合に、その液面位置に応じて第２の部材が浮上し、貫通孔を露出させることができる。その結果、液体は隙間を介さずに直接貫通孔を通じて第１の部材に流れ込むこととなり、液体の排出効率が上昇する。上述したように、貯留空間における液体の液面位置に応じて液体の排出効率を調節できる構造によると、オーバーフロー等の不具合を回避することができる。
【００２５】
また、貫通孔の孔形状及び孔径などを適宜調節することにより、貯留空間の液体内に含まれるゴミを貫通孔の開口端で捕らえることが可能である。従って、液体内のゴミが接続管内に流れ込む不具合を回避することができる。
【００２６】
しかも、第２の部材が浮上することにより外部に露出する貫通孔の位置は、上層部より深い位置であるから、ゴミの層のない中層部以下の液体を吸い込むことができる。従って、貫通孔を上層部に浮遊するゴミの層から保護し、貫通孔に目詰まりが生じる不具合を回避することができる。
【発明の効果】
【００２７】
以上述べたように、本発明によれば、次のような効果を得ることができる。
（１）目詰まりを防止することができるフィルタ装置、及び、これを用いた施設を提供することができる。
（２）ゴミを適切に捕捉することができるフィルタ装置、及び、これを用いた施設提供することができる。
（３）維持管理コストを低減することができるフィルタ装置、及び、これを用いた施設提供することである。
【００２８】
本発明の他の目的、構成及び利点については、添付図面を参照し、更に詳しく説明する。添付図面は、単に、例示に過ぎない。
【図面の簡単な説明】
【００２９】
【図１】本発明の一実施形態に係るフィルタ装置の斜視図である。
【図２】図１の２‐２線に沿った断面図である。
【図３】図１のフィルタ装置の一部を取り出して示す斜視図である。
【図４】図１のフィルタ装置の一部を取り出して示す分解構造図である。
【図５】図１のフィルタ装置の一部を取り出して示す正面断面図である。
【図６】図１のフィルタ装置の一部を取り出して示す斜視図である。
【図７】本発明の一実施形態に係る施設について一部を省略して示す部分断面図である。
【図８】図７の施設について一部を拡大して示す部分断面図である。
【図９】図７の施設について一部を拡大して示す部分断面図である。
【図１０】図７の施設について一部を拡大して示す部分断面図である。
【図１１】本発明のもう一つの実施形態に係る施設について一部を省略して示す部分断面図である。
【図１２】本発明の更にもう一つの実施形態に係る施設について一部を省略して示す部分断面図である。
【図１３】本発明の更にもう一つの実施形態に係る施設について一部を省略して示す部分断面図である。
【図１４】本発明のもう一つの実施形態に係るフィルタ装置の断面図である。
【図１５】本発明の更にもう一つの実施形態に係るフィルタ装置の一部を取り出して示す斜視図である。
【発明を実施するための形態】
【００３０】
図１乃至図１５において同一符号は、同一又は対応部分を示すものとする。また、図１乃至図１５の説明において、フィルタ装置の管軸方向と、貯留空間の深さ方向とは一致するから符号Ｌに統一して示す。
【００３１】
図１及び図２のフィルタ装置は、第１の部材１０と、第２の部材２０（図４、図５参照）と、固定金具３０（図６参照）とを有している。
【００３２】
第１の部材１０は、断面円形状のパイプ状、筒状、又は、管状であって、ポリエチレン（ＰＥ）、ポリプロピレン（ＰＰ）、塩化ビニル樹脂（ＰＶＣ）等の合成樹脂により構成されている。もっとも、第１の部材１０は、断面角形状のものを用いることもできる。また、用いられる材料も合成樹脂に限られない。例えば、耐腐食性などの観点からアルミなどの金属材料を用いることができる。
【００３３】
第１の部材１０は、管軸方向Ｌを有し、管軸方向Ｌでみた一端１０１から他端１０２までの中間部に屈曲部を有している。図１及び図２の第１の部材１０は、直管部１１（図３参照）と、曲管部１３とを連結した連結構造である。もっとも、直管部１１と、曲管部１３とは一体構造でもよい。
【００３４】
図１乃至図３の直管部１１は、基体部１１０と、中空部１１１と、複数の貫通孔１１２とを有している。基体部１１０は、直管部１１の側壁部分を構成し、外面１１３でみた最大差し渡し外径寸法Ｄ１（外寸法Ｄ１）を有している。中空部１１１は、基体部１１０の内面によって画定される内部空間であって、基体部１１０の内部を管軸方向Ｌに沿って伸び、管軸方向Ｌの両端で開口している。
【００３５】
複数の貫通孔１１２のそれぞれは、基体部１１０を管軸方向Ｌに交差する肉厚方向に貫通し、中空部１１１に通じている。貫通孔１１２の開口縁は、成形容易性の観点から、正面視、真円形状となっている。もっとも貫通孔１１２の開口縁は、真円形状に限られず、楕円形状、角形状、さらには線状（スリット状）であってもよい。
【００３６】
複数の貫通孔１１２は、管軸方向Ｌでみた基体部１１０の中間部付近から一端１０１までの部分において、管軸方向Ｌに交差する周方向に沿って間隔を隔てて等配されており、管軸方向Ｌに沿って３段に形成されている。一点鎖線で示すｓは、外面１１３において、複数の貫通孔１１２が設けられている領域（通水領域ｓ）を示している。通水領域ｓは、各貫通孔１１２の開口面積を拡縮し、又は、管軸方向Ｌでみた貫通孔１１２の列数を増減することにより、外面１１３の所望の領域に適宜設定することができる。
【００３７】
曲管部１３は、基体部１３０と、中空部１３１と、２つの管継ぎ手部１３２、１３３を有している。基体部１３０は、曲管部１３の周壁を構成している。中空部１３１は、基体部１３０の内面によって画定される内部空間であって、基体部１３０の内部を管軸方向に沿って伸び、管軸方向の両端で外部に開口している。
【００３８】
２つの管継ぎ手部１３２、１３３は、基体部１３０の管軸方向の両側において互いに交差する位置に設けられ、内面に外寸法Ｄ１を拡大した凹段部分を有し、直管部１１の他端がはめ込まれている。図２の曲管部１３は、２つの管継ぎ手部１３２、１３３が互いに直交する９０°曲管であって、一方の管継ぎ手部１３２に直管部１１の他端が嵌合され、他方の管継ぎ手部１３３の内部に、排出側の接続管（図示しない）の端部が嵌合される。
【００３９】
図１、図２、図４及び図５の第２の部材２０は、中空部２２と、開口部２３と、収納空間（２４）と、浮力体２８と、天井フィルタ具２９とを有している。より詳細に説明すると、第２の部材２０は、基体部分が、外筒部２５と、内筒部２６とを一体的に結合した二重筒構造を有している。
【００４０】
外筒部２５は、断面円形状の有底筒状であって、側壁部２５０と、開口部２５２と、中空部（２４）と、底部２７を有している。側壁部２５０は、外筒部２５の立ち上がり壁を構成し、内面２５１でみた最大差し渡し内径寸法Ｄ３（内寸法Ｄ３）を有している。中空部（２４）は、内面２５１と、底部２７とによって画定されている。開口部２５２は、側壁部２５０の管軸方向Ｌの一端において底部２７の反対側に開口し、中空部（２４）に連通している。
【００４１】
内筒部２６は、断面円形状の有底筒状であって、側壁部２６０と、開口部２３と、底部２７とを有している。側壁部２６０は、内筒部２６の立ち上がり壁を構成し、外面２６１でみた最大差し渡し外径寸法Ｄ４（外寸法Ｄ４）と、内面２６２で見た最大差し渡し内径寸法Ｄ５（内寸法Ｄ５）とを有している。中空部２２は、内面２６２と、底部２７とによって画定されている。開口部２３は、側壁部２６０の管軸方向Ｌの一端において底部２７の反対側に開口し、中空部２２に連通している。
【００４２】
外筒部２５の中空部（２４）において、内面２５１と、外面２６１との相対向面間には、内寸法Ｄ３、Ｄ４の寸法差に応じた収納空間２４が形成され、この収納空間２４に浮力体２８が収納される。
【００４３】
浮力体２８は、液体、具体的には水に対して浮力を有する低密度材料又は比重の小さい材料で構成されている。図２の浮力体２８は、材料コスト、成形容易性などの観点から、発泡スチロール（ＥＰＳ）で構成されている。浮力体２８は、ＥＰＳを断面視、円筒状、又は、リング状に成型したものであって、収納空間２４において内筒部２６の外側に取り付けられている。もっとも、浮力体２８は、浮力を得るために取り付けられるものであるから、ＥＰＳ以外の発泡プラスチックの他、気体を密封したチューブ体や木材などを用いて構成することもできる。なお、本明細書において「発泡プラスチック」とは、基材となる合成樹脂中にガスを細かく分散させ、発泡状または多孔質形状に成形されたものを指す。
【００４４】
図２のフィルタ装置において、第２の部材２０は、外面１１３において、管軸方向Ｌに沿って移動可能に取り付けられ、取り付けられた状態で通水領域ｓを構成する貫通孔１１２の全てを覆っている。さらに図２のフィルタ装置は、隙間ｇを有している。隙間ｇは、外面１１３と内面２６２との相対向面間において、基体部１１０の外寸法Ｄ１と内筒部２６の内寸法Ｄ５との寸法差に応じて形成され、開口部２３を通じて外部に連通している。隙間ｇは、好ましくは２〜５ｍｍ程度の差し渡し寸法であり、より好ましくは２〜３ｍｍ程度の差し渡し寸法である。隙間ｇが狭くなればフィルター装置のゴミ捕捉機能は向上する一方、過度に狭くしすぎると液体が隙間ｇへ流れ難くなる。
【００４５】
さらに内筒部２６は、底部２７において、第１の部材１０の一端１０１に相当する部分に貫通孔２７０を有している。貫通孔２７０は、一端１０１に設けられた開口端を通じて中空部１１１に連通している。違う言葉で表現すれば、第１の部材１０の一端１０１は、底部２７において貫通孔２７０が設けられていない部分の内面に突き当たり、突き当たった状態で中空部１１１と貫通孔２７０とが連通している。
【００４６】
天井フィルタ具２９は、メッシュ部２９０を有しており、貫通孔２７０にはめ込まれている。メッシュ部２９０は、金属細線を網目状に編んだもの、又は、金属材料をプレス打抜き加工したものでなる。さらに、天井フィルタ具２９に替えて、底部２７の天井部分に対応する面内に、直接、貫通孔を設けてもよい。
【００４７】
図１、図２及び図６の固定金具３０は、２つの保持部３１、３２と、２つの支持アーム３３、３４と、取付部３５とを有している。２つの保持部３１、３２のそれぞれは、リング状、又は、箍状の分割片を構成し、組み合わされた状態で外面１１３に着脱可能に取り付けられる。２つの支持アーム３３、３４は、一端が保持部３１、３２に着脱可能に結合され、他端が取付部３５に結合されている。取付部３５は、貯留空間（図示しない）を構成する側壁に取り付けられる。
【００４８】
図７は、本発明の一実施形態に係る施設について一部を省略して示す部分断面図である。図７の施設は、雨水貯留浸透施設に雨水を排出するための前置ますであって、フィルタ装置１と、流入側の接続管６１と、貯留空間６２と、排出側の接続管６３とを有している。貯留空間６２は、桝体の側壁部６２０と、底部６２１とによって画定されている。さらに、貯留空間６２は、底部６２１の内面から、フィルタ装置１を構成する第２の部材２０の下端までの空間が、泥溜め部６２２として機能している。接続管６１は、桝体の側壁部６２０を貫通して貯留空間６２に接続され、外部施設から矢印Ｆで示す方向に送られてくる雨水等を貯留空間６２に供給する。貯留空間６２は、深さ方向Ｌに伸び、雨水等を貯留する。接続管６３は、一端が桝体の側壁部６２０を貫通して貯留空間６２に接続されている。
【００４９】
フィルタ装置１は、図１乃至図６を参照して説明したものでなり、固定金具３０によって桝体の側壁部６２０に固定され、他端１０２が接続管６３に接続され、接続された状態で一端１０１が貯留空間６２の深さ方向Ｌに沿って立ち上がっている。
【００５０】
図７の施設において、フィルタ装置１の一端１０１は、貯留空間６２の深さ方向Ｌに沿って立ち上がっているから、底部６２１からのクリアランスが確保され、泥溜め部６２２に溜まる堆積物にフィルタ装置１が埋没する不具合を回避することができる。従って、接続管６３の管口が堆積物に埋没しないよう頻繁に堆積物を除去する必要はなく、維持管理コストを低減することができる。
【００５１】
図７のフィルタ装置１におけるゴミ除去効果について、更に図８乃至図１０を参照して詳しく説明する。まず、図８は、貯留空間６２における雨水等７の通常時の貯留量を示すものである。符号８１は、雨水等７とともに流入した塵埃や、比重の軽い小さなゴミ等が水面付近（上層部）に浮遊することにより形成されるゴミ又はその層である。符号８２は、枯れ枝のような小さな尖ったゴミであり、符号８３は落ち葉やビニール袋のように表面積の大きなゴミである。
【００５２】
図８の状態において、第２の部材２０は、浮力体２８の浮力により、雨水等７の水面位置に応じて、貫通孔１１２を覆っている。ここで、外面１１３と内面２６２との相対向面間には隙間ｇが形成されており、隙間ｇは開口部２３を通じて外部に連通している。この構成によると、貯留空間６２に貯留された雨水等７は、開口部２３を通じて隙間ｇに案内された後、隙間ｇから貫通孔１１２を通じて中空部１１１に案内され、さらに中空部１３１を通じて接続管６３へ送られる。従って、雨水等７を接続管６３へ流下させることができる。
【００５３】
雨水等７に含まれるゴミ（８１〜８３）において、隙間ｇより大きなゴミ（８１〜８３）は、隙間ｇの開口部２３を通過することができず、開口部２３で捕らえられる。さらに、フィルタ装置１の目詰まり防止効果についてゴミの類型別に説明すると、第１に、フィルタ装置１の隙間ｇは、開口部２３を通じて外部に連通しているから、ゴミ８１が浮遊する水面付近（上層部）よりも深い位置に開口部２３を配置することにより、ゴミ８１のない中層部以下の雨水等７を吸い込むことができる。従って、貫通孔１１２をゴミ８１から保護し、貫通孔１１２に目詰まりが生じる不具合を回避することができる。
【００５４】
しかも、フィルタ装置１の隙間ｇは、開口部２３を通じて外部に連通しているから、仮にゴミ８１が雨水等７とともに隙間ｇへ吸い込まれそうになったとしても、ゴミ８１は、隙間ｇを通過する前に開口部２３で捕らえられる。従って、貫通孔１１２をゴミ８１から保護し、貫通孔１１２に目詰まりが生じる不具合を回避することができる。
【００５５】
第２に、フィルタ装置１の隙間ｇは、開口部２３を通じて外部に連通しているから、ゴミ８２が隙間ｇより大きな場合は開口部２３で捕らえられる。従って、ゴミ８２によって目詰まりが生じる問題を回避することができる。
【００５６】
第３に、フィルタ装置１の隙間ｇは、開口部２３を通じて外部に連通しているから、ゴミ８３は開口部２３で捕らえられる。従って、貫通孔１１２をゴミ８３から保護し、貫通孔１１２に目詰まりが生じる不具合を回避することができる。
【００５７】
これに対し、従来技術のフィルタは、直接、網目状のメッシュ部を通して雨水を流出させるから、ゴミ８１〜８３がメッシュ部に付着し、目詰まりを生じさせる。この目詰まりを放置すると、前置ますがオーバーフローするから、早急に不具合を回避する必要がある場合には、フィルタを外して雨水等７を雨水貯留浸透施設内に送ることとなり、ゴミ８１〜８３の侵入を防止することができない。また、従来技術のフィルタは、メッシュ部の表面積が狭いから、ゴミ８１〜８３が付着することにより容易に目詰まりしてしまう。この不都合を回避するためフィルタ表面の面積を大きくしようとすると、桝自体が大きくなってしまうから、経済的ではない。
【００５８】
次に、図９は、貯留空間６２における雨水等７の貯留量が増加した状態を示すものであって、第２の部材２０が水面位置に応じて浮上したことにより、通水領域ｓ及び貫通孔１１２が外部に露出している。図９の状態では、雨水等７は隙間ｇを介さずに、直接、貫通孔１１２を通じて第１の部材１０に流れ込むから、雨水等７の排出効率が向上する。このように、貯留空間６２における水面位置に応じて排出効率を調節できる構造によると、オーバーフローを回避することができる。
【００５９】
また、貫通孔１１２の孔形状及び孔径などを適宜調節することにより、貯留空間６２の雨水等７に含まれるゴミ８１〜８３を貫通孔１１２の開口端で捕らえることが可能である。従って、ゴミ８１〜８３が接続管６３内に流れ込む不具合を回避することができる。
【００６０】
しかも、浮力体２８が第２の基体部２５を浮上させることにより外部に露出する貫通孔１１２の位置は、上層部より深い位置であるから、ゴミ８１によって目詰まりが生じる問題は生じない。
【００６１】
貫通孔１１２の開口端によって捕らえられたゴミ８１〜８３は、第２の部材２０の上下動によって開口部２３によりはがし落とされるから、貫通孔１１２の目詰まりが回避されるとともに、貫通孔１１２の周囲にゴミ８１〜８３が付着したまま放置されることはない。従って、維持管理コストを低減することができる。貫通孔１１２の目詰まり回避手段として、例えば、内面２６２にリング状のブラシを取り付けることにより、貫通孔１１２に付着したゴミ８１〜８３を、確実に掻き落とすことができる。
【００６２】
図１０は、貯留空間６２に流れ込む雨水等７がゲリラ豪雨などにより急激に増加した状態を示すものであって、全ての貫通孔１１２が外部に露出している。第２の部材２０の上げ止まりとしては、前置ますのグレーチング（図示しない）を利用することもできる。もっとも、前置ますの深さは一定ではないから、施工条件に応じて予め第１、第２の部材１０、２０を紐などで結ぶことが好ましい。
【００６３】
図１０の実施形態によると、天井フィルタ具２９を通じて雨水等７が第１の部材１０に流入することにより、図８及び図９の状態よりも排出効率が向上する。従って、集中豪雨などの緊急時に排出施設のオーバーフローを回避することが可能である。従って、優れた信頼性を有するフィルタ装置１、及び、これを用いた排出施設を提供することができる。
【００６４】
また、天井フィルタ具２９のメッシュ部２９０の網目形状及び網目間隔を適宜調節することにより、ゴミ８１〜８３をメッシュ部２９０で捕らえることができる。従って、ゴミ８１〜８３が接続管６３に流れ込む不具合を回避することができる。
【００６５】
さらに、フィルタ装置1は、一端１０１が貯留空間６２の深さ方向Ｌに沿って立ち上がっていることにより、メッシュ部２９０の目詰まりを点検する作業、及び、メッシュ部２９０に目詰まりしたゴミ８１〜８３を除去する作業が容易である。従って維持管理コストを低減することができる。
【００６６】
図１１乃至図１３は本発明の更にもう一つの実施形態に係る施設について一部を省略して示す部分断面図である。図１１の施設は、雨水管渠６６に雨水を排出するための街渠ますであって、桝体の上部にＬ型側溝６４が載置されている。Ｌ型側溝６４は主面に通水孔６５が設けられている。接続管６３は、一端が雨水管渠６６に接続されている。
【００６７】
図１２の施設は、雨水管渠６６に雨水を排出するための集水ますであって、桝体の上部にＵ型側溝６７が載置されている。
【００６８】
図１３の施設は、集水ますであって、排出側の放流管６８は一端が河川（又は湖沼）６９に接続されている。図１１乃至図１３の実施形態においても、図１乃至図１０を参照して説明したフィルタ装置１の利点、及び、これを用いた施設の利点を奏することができる。
【００６９】
図１乃至図９を参照して説明したようにフィルタ装置１は、貯留空間６２に流れ込む液体量の流量及びその水面位置に応じてゴミ８１〜８３を適切に捕らえ、且、流量の調節をすることができる点に特徴がある。従って、本発明の一実施形態に係るフィルタ装置１及びこれを用いた施設は、液面が変動する貯留空間を有するものであれば、図１乃至図１３の実施形態のように地下構造物に限らない。例えば、地上に設置される各種液体の貯留槽のほか、湖沼の水門や、露天風呂などに用いることができる。
【００７０】
図１４は、本発明のもう一つの実施形態に係るフィルタ装置の断面図である。図１４のフィルタ装置と、図２のフィルタ装置とは、第２の部材２０の構造が異なる以外は、共通の基本的構成を有している。以下、相違点を中心に説明する。
【００７１】
図１４のフィルタ装置を構成する第２の部材２０は、発泡スチロール（ＥＰＳ）を用いて一体成形したものであって、全体が液体、具体的には水に対して浮力を有する低密度材料又は比重の小さい材料で構成されている。もっとも、第２の部材２０は、液体に対する浮力を有するものであれば、必ずしも、ＥＰＳに限定されるものではない。例えば、ＥＰＳ以外の発泡プラスチックの他、木材などを用いて構成することもできる。
【００７２】
さらに、図１４の第２の部材２０は、側壁部２１と、中空部２２と、開口部２３と、底部２７を有している。側壁部２１は有底筒状の側壁部分を構成し、底部２７は有底筒状の底壁部分を構成している。図１４の側壁部２１は、浮力を確保する観点、及び、外部の物理的衝撃に対する耐衝撃性を確保する観点から、底部２７の厚み寸法と比較して、２〜４倍程度の厚み寸法を有している。
【００７３】
側壁部２１は、内面２１０でみた最大差し渡し内径寸法Ｄ５（内寸法Ｄ５）を有している。中空部２２は、側壁部２１の内面２１０と、底部２７の内面とによって画定されている。開口部２３は、側壁部２１０の管軸方向Ｌの一端において底部２７の反対側に開口し、中空部２２に連通している。
【００７４】
図１４のフィルタ装置を構成する第２の部材２０は、外面１１３において、管軸方向Ｌに沿って移動可能に取り付けられ、取り付けられた状態で通水領域ｓを構成する貫通孔１１２の全てを露出可能に覆っている。さらに図１４のフィルタ装置は、隙間ｇを有している。隙間ｇは、外面１１３と内面２１０との相対向面間において、基体部１１０の外寸法Ｄ１と、側壁部２１の内寸法Ｄ５との寸法差に応じて形成され、開口部２３を通じて外部に連通している。
【００７５】
図１４のフィルタ装置によっても、図１乃至図１３を参照して説明したフィルタ装置１の利点、及び、これを用いた施設の利点を奏することができる。例えば、フィルタ装置の隙間ｇは、開口部２３を通じて外部に連通しているから、図８に示すように、仮にゴミ（８１〜８３）が雨水等７とともに隙間ｇへ吸い込まれそうになったとしても、ゴミ（８１〜８３）は開口部２３で捕らえられる。従って、貫通孔１１２をゴミ（８１〜８３）から保護し、貫通孔１１２に目詰まりが生じる不具合を回避することができる。
【００７６】
また、第２の部材２０は、液体（７）に対して浮力を有する材料で構成されているから、貯留空間（６２）における液体位置に応じて浮上することにより、図９又は図１０に示すように、貫通孔１１２を外部に露出させ、排出効率を自動的に調節することができる。従って、ゲリラ豪雨などにより貯留空間（６２）に流れ込む雨水等（７）が急激に増加した場合でも、オーバーフロー等の不具合は生じない。
【００７７】
さらに、第２の部材２０は、液体（７）に対して浮力を有する材料で構成されているから、例えば、図２の浮力体２８を別途取り付ける必要がなくなる。従って、部品点数を削減し、製造コストを低減することができる。
【００７８】
図１５は、本発明の更にもう一つの実施形態に係るフィルタ装置の一部を取り出して示す斜視図である。図１４の直管部１１と、図３の直管部１１とは、貫通孔１１２の開口縁の形状が異なる以外は、共通の基本的構成を有している。以下、相違点を中心に説明する。
【００７９】
図１５の直管部１１において、複数の貫通孔１１２のそれぞれは、管軸方向Ｌに沿って延びる線状又はスリット状であって、管軸方向Ｌに沿った長軸と、周方向に沿った短軸とを有している。
【００８０】
図１５の直管部１１を用いてフィルタ装置を構成したとしても、図１乃至図１４を参照して説明したフィルタ装置１の利点、及び、これを用いた施設の利点を奏することができる。さらに、図１５の直管部１１を構成する貫通孔１１２は、周方向に短軸を有しているから、例えば図９又は図１０に示すように、貫通孔１１２が露出した状態でも、雨水等（７）に含まれるゴミ（８１〜８３）を貫通孔１１２の開口端で適切に捕捉することができる。従って、ゴミ（８１〜８３）が接続管（６３）内に流れ込む不具合は生じない。
【００８１】
以上、好ましい実施例を参照して本発明の内容を具体的に説明したが、本発明の基本的技術思想及び教示に基づいて、当業者であれば、種種の変形態様を採り得ることは自明である。
【符号の説明】
【００８２】
１              フィルタ装置
１０            第１の部材
１０１、１０２  一端、他端
１１０          第１の基体部
１１２          貫通孔
１１３          外面
２０            第２の部材
２５            外筒部
２８            浮力体
６２            貯留空間
６３            接続管
Ｌ              管軸方向
Ｄ１            第１の部材の外寸法
Ｄ５            第２の部材の内寸法
【図１】
0005404488.tif 000002
【図２】
0005404488.tif 000003
【図３】
0005404488.tif 000004
【図４】
0005404488.tif 000005
【図５】
0005404488.tif 000006
【図６】
0005404488.tif 000007
【図７】
0005404488.tif 000008
【図８】
0005404488.tif 000009
【図９】
0005404488.tif 000010
【図１０】
0005404488.tif 000011
【図１１】
0005404488.tif 000012
【図１２】
0005404488.tif 000013
【図１３】
0005404488.tif 000014
【図１４】
0005404488.tif 000015
【図１５】
0005404488.tif 000016